(57)【特許請求の範囲】
【請求項１】
前面に出射窓を有する筐体内にランプハウスが配置され、該ランプハウス内には、外側管と内側管とからなる二重管型のエキシマランプが収容されてなるハンディタイプの光線治療器であって、
前記ランプハウスにおける前記ランプの軸方向端部に対応した両端壁には、前記ランプの内側管に対応する位置に中央冷却口と、前記出射窓に対応した前記ランプの出射側とは反対の後方側に対応する位置に後方冷却口が形成されるとともに、
前記ランプハウスの一方の端壁に対応して冷却ファンが配置されていて、前記中央冷却口からの冷却風によって前記ランプの内側管を冷却するとともに、前記後方冷却口からの冷却風によって前記ランプの外側管の後方側を冷却することを特徴とするハンディタイプの光線治療器。
【請求項２】
前記エキシマランプは、前記ランプハウスの両端壁によって支持されていることを特徴とする請求項１に記載のハンディタイプの光線治療器。
【請求項３】
前記一方の端壁と前記冷却ファンとの間に導風板を設けたことを特徴とする請求項１または２に記載のハンディタイプの光線治療器。
【請求項４】
前記筐体内の出射窓とは反対側後方部にランプ用の高圧トランスが配置され、前記導風板には該高圧トランスに対応して切欠きが形成されていることを特徴とする請求項３に記載のハンディタイプの光線治療器。
【発明の詳細な説明】
【技術分野】
【０００１】
この発明は、光により人体の治療を行う光線治療器に関し、特に紫外線により皮膚疾患などを治療するハンディタイプの光線治療器に係わるものである。
【背景技術】
【０００２】
乾癬、白斑などの皮膚病の治療を目的に、ナローバンドＵＶＢ（波長２８０ｎｍ〜３２０ｎｍ）の光を患部に照射して治療する光線治療器が知られている。ＵＶＢの光を放射する光源としては様々なものがあるが、その一つにエキシマランプがあり、このエキシマランプを用いた光線治療器に関する技術としては、例えば、特開２００８−２２８９４号公報（特許文献１）等が知られている。
【０００３】
図４にこの従来技術に基づく光線治療器が示されている。
図４において、光線治療器８０は、スタンド８２のガイド溝８２ａに上下動自在に支持された光照射ユニット８３を備えている。より詳細には、該光照射ユニット８３は、前記スタンド８２のガイド溝８２ａに上下動可能に支持された保持具８９の先端に回動可能に支持されている。
これにより、光照射ユニット８３は、上下動自在、かつ、回動自在に支持されていて、その窓部８６を患部の場所に合わせて高さや向きを調整して、患部に対して適切な条件で紫外線を照射できるようになっている。
この光照射ユニット８３の筐体８４内には、図５に示すように、エキシマランプ９０と反射ミラー９１とが収容されていて、この筐体８４の前面には石英ガラス等からなる窓部８６が設けられている。エキシマランプ９０からのＵＶは透過窓を介して患者の患部に照射されるものである。
【０００４】
この従来技術においては、図５に示すように、エキシマランプ９０、反射ミラー９１および窓部８６を冷却するために、筐体８４内の反射ミラー９１の側方に冷却ファンＦが配備されている。冷却ファンＦからの冷却風は、一方の側から反射ミラー９１と窓部８６の間隙に流入し、他方側から流出する。この間に窓部８６を冷却する。
また一方で、冷却風は反射ミラー９１の外側にも流れて筐体８４の後方から流出し、この間に反射ミラー９１を冷却する。
【０００５】
ところで、このような光線治療器は、比較的広い患部に対し均等に照射することができる点で有利である一方、治療器本体が大型であるため、治療現場において設置場所を占有してしまい、その操作も煩雑であるという問題があり、ハンディタイプの小型の光線治療器が求められている。
また、上記従来技術においては、ランプ、反射ミラーおよび透過窓を冷却するために、筐体内の反射ミラーの側方から冷却風を流す構成としていて、その一部が反射ミラーと透過窓の間隙から流入して他方側に流出し、また、反射ミラーの外周を流れて筐体の後方から流出するものである。
【０００６】
ところが、このような構成では、ランプと透過窓の間に冷却風を流すために、ランプや透過窓に埃が付着してしまい、照度低下を招いてしまうという問題がある。特に、ランプの出射側で埃による汚染が顕著であるという不具合がある。
また、反射ミラーや透過窓の冷却はある程度達成できるものの、ランプについては出射側を除いて冷却風が当ることがなく、十分な冷却効果を期待することができない。しかも、最も熱の籠りやすいランプと反射ミラーの間には冷却風の流れが全くなく、ランプの冷却は期待できないという問題がある。
【先行技術文献】
【特許文献】
【０００７】
【特許文献１】特開２００８−２２８９４号公報
【発明の概要】
【発明が解決しようとする課題】
【０００８】
この発明の解決すべき課題は、上記従来の据置型治療器の問題点に鑑みて、二重管型のエキシマランプが筐体内に収納されてなるハンディタイプの光線治療器において、治療器を小型化したものにあっても、冷却風によるランプの汚れを生じることなく冷却を効果的に実現して、照度低下を招くことがなく、しかも患者に治療器を当接又は近接しても、何等熱的な問題を生じることがない光線治療器を提供することである。
【課題を解決するための手段】
【０００９】
上記課題を解決するために、この発明に係る光線治療器は、出射窓を有する筐体内にランプハウスが配置され、該ランプハウス内には、外側管と内側管とからなる二重管型のエキシマランプが収容されてなり、前記ランプハウスにおける前記ランプの軸方向端部に対応した両端壁には、前記ランプの内側管に対応する中央冷却口と、前記ランプの出射側とは反対側に対応する後方冷却口が形成されるとともに、前記ランプハウスの一方の端部材に対応して冷却ファンが配置されていることを特徴とする。
また、前記エキシマランプは、前記ランプハウスの両端壁によって支持されていることを特徴とする。
また、前記一方の端壁と前記冷却ファンとの間に導風板を設けたことを特徴とする。
また、前記筐体内の出射窓とは反対側後方部にランプ用の高圧トランスが配置され、前記導風板には該高圧トランスに対応して切欠きが形成されていることを特徴とする。
【発明の効果】
【００１０】
この発明の光線治療器によれば、筐体内のランプハウス内に収容した二重管型のエキシマランプに対して、その内側管内に軸方向に冷却風を流すとともに、外側管の光出射側とは反対側に沿って冷却風を流すので、効果的にランプの冷却が行われるとともに、冷却風によってランプの出射側に埃が付着することもなく、照度低下を引き起こすことがないという効果を奏する。
【図面の簡単な説明】
【００１１】
【図１】本発明の光線治療器の前方斜視図（Ａ）と後方斜視図（Ｂ）
【図２】本発明の光線治療器の一部断面図（Ａ）とそのＢ−Ｂ断面図（Ｂ）
【図３】本発明の光線治療器における光照射ユニットの正面断面図（Ａ）と上面図（Ｂ）および下面図（Ｃ）
【図４】従来の光線治療器の斜視図
【図５】図４の要部断面図
【発明を実施するための形態】
【００１２】
図１は、本発明のハンディタイプの光線治療器の構成を示す斜視図であり、（Ａ）は右前方からの斜視図、（Ｂ）は右後方からの斜視図である。また、図２は本発明の光線治療器の一部を断面にした側面図である。
図１、２を参照して、光線治療器１は、筐体２の内部に紫外線光源としてエキシマランプ３２を備えた光照射ユニット３を内蔵し、その前面に導光路４を有していて、この導光路４の先端には石英ガラスなどからなる紫外線を透過する出射窓５が備えられている。また、導光路４の先端の側面には、覗き窓６が形成されている。
筐体２には後方部に把手７が設けられていて、この把手７によって操作者（医者）は光線治療器１を持って、前面の出射窓５を患者の患部に当接ないしは近接させて光照射ユニット３の紫外線ランプ３２からの紫外線を照射する。このとき、導光路４側面の覗き窓６から患部を観察しつつ照射することができる。
把手７の上部にはスイッチ８が設けられていて、このスイッチ８を押すと紫外線ランプ３２が点灯する。
【００１３】
図２（Ａ）（Ｂ）を参照して、筐体２内には、光照射ユニット３が内蔵されており、この光照射ユニット３は、ランプハウス３１と、その内部に収容されたエキシマランプ３２と、ランプハウス３１の前面に設けられた導光路４とからなる。
【００１４】
図３にこの光照射ユニット３のみの詳細が示されていて、（Ａ）は側断面図、（Ｂ）は上面図、（Ｃ）は下面図である。
ランプハウス３１は、例えば、アルミニウムなどの金属製からなり、特に後方および側方の内面を鏡面加工等することにより高反射特性を付与している。また、鏡面加工することなく、エキシマランプ３２の後方に凹面反射鏡を配置することもできる。
エキシマランプ３２は、ランプハウス３１における該ランプ３２の軸方向の両端部に対応した上下両端壁３１ａ、３１ｂに上下支持部材３３ａ、３３ｂによって垂直に支持されている。
そして、図２（Ａ）に示すように、筐体２内の出射窓５とは反対側の後方部にランプ用の高圧トランスＴが配置され、前記ランプ３２はこの高圧トランスＴに電気的接続がなされている。
【００１５】
図２、３に示すように、この発明におけるハンディタイプの光線治療器においては、二重管型のエキシマランプ３２が用いられている。つまり、発光管が外側管３２ａと内側管３２ｂとからなり、これら外側管３２ａと内側管３２ｂとの間が放電空間Ｓとされており、その放電空間Ｓ内には、所望の発光波長に応じて、クリプトンと塩素の混合ガス（発光波長：２２２ｎｍ）、キセノンと臭素ガスの混合ガス（発光波長：２８３ｎｍ）、キセノンと塩素ガスの混合ガス（発光波長：３０８ｎｍ）などの発光ガスが充填されている。
【００１６】
そして、ランプハウス３１の下方には冷却ファンＦが配置されていて、該冷却ファンと下部端壁３１ｂの間には導風板３４が設けられている。また、この導風板３４には、前記高圧トランスＴに対応した位置に切欠き３５が設けられていて、冷却ファンＦからの冷却風が高圧トランスＴも冷却できる構造とされている。
【００１７】
図３に示されるように、ランプハウス３１の上下端壁３１ａ、３１ｂには、内部の二重管型エキシマランプ３２の内側管３２ｂの中心部に対応する位置に中央冷却口３６ａ、３６ｂが形成されるとともに、前記エキシマランプ３２の出射側（導光路４側）とは反対側に対応する位置に複数の後方冷却口３７ａ、３７ｂが形成されている。
この後方冷却口３７ａ、３７ｂは、図３（Ａ）（Ｂ）によく示されるように、エキシマランプ３２の外側管３２ａの後方側（出射側とは反対側）の約半周に亘って形成される。
なお、後方冷却口３７ａ、３７ｂは独立した複数の開口を示したが、連続的な半円周状のスリットであってもよい。
【００１８】
冷却風の流れについて図２（Ａ）に基づいて説明すると以下の通りである。
冷却ファンＦからの冷却風は、導風板３４に導かれてランプハウス３１の下端壁３１ｂの中央冷却口３６ｂからエキシマランプ３２の内側管３２ｂの内部に導かれて、ここを流れ、上端壁３１ａの中央冷却口３６ａから流出する。
同時に、下端壁３１ｂの後方冷却口３７ｂからも冷却風が流れ、エキシマランプ３２の外側管３２ａの出射側とは反対側（後方側）に沿って流れてこれを冷却し、上端壁３１ａの後方冷却口３７ａから流出する。
一方、冷却ファンＦからの冷却風は導風板３４の切欠き３５から後方に流れて、高圧トランスＴを冷却する。
【００１９】
なお、冷却ファンＦは、基本的にはランプ点灯時に動作し、消灯時に停止するものではあるが、消灯後に所定の温度に下がるまで回転し続ける構成とすることもできる。
また、上述の説明では、エキシマランプ３２は筐体２に対して垂直支持されたものを示したが、筐体２とエキシマランプ３２の大きさ等の観点から、エキシマランプ３２を水平方向に支持するものであってもよい。
【００２０】
以上説明したように、本発明においては、エキシマランプを筐体内に収納してなるハンディタイプの光線治療器であって、二重管型のエキシマランプの内側管内に冷却風を流すとともに、エキシマランプの外側管における出射側とは反対側に沿って冷却風を流す構成としたことにより、エキシマランプの冷却が効率的になるとともに、エキシマランプの出射側には冷却風が流れないので、冷却風による発光管の出射側への埃の付着がなく、発光管の汚れによる照度低下を招くことがない。
そのため、光線治療器を小型化しても熱的な影響がなく、患者に治療器を当接又は近接しても、何等熱的な問題を生じることがない。
更には、ランプの冷却と同時に、ランプ点灯用の高圧トランスの冷却も行えるという利点もある。
【符号の説明】
【００２１】
１      光線治療器
２      筐体
３      光照射ユニット
３１    ランプハウス
３１ａ  上端壁
３１ｂ  下端壁
３２    二重管型エキシマランプ
３２ａ  外側管
３２ｂ  内側管
３３ａ  上部支持部材
３３ｂ  下部支持部材
３４    導風板
３５    切欠き
３６ａ  中央冷却口
３６ｂ  中央冷却口
３７ａ  後方冷却口
３７ｂ  後方冷却口
４      導光路
５      出射窓
Ｔ      高圧トランス
Ｆ      冷却ファン
Ｓ      放電空間
【図１】
0006653081.tif 000002
【図２】
0006653081.tif 000003
【図３】
0006653081.tif 000004
【図４】
0006653081.tif 000005
【図５】
0006653081.tif 000006